(57)【要約】【課題】耐熱性・防水性・保温性を有する作業用手袋を提供すること。【解決手段】消防活動に使用される作業用手袋（１０）は、手袋本体（１）と、充電式の電池（９）と、電力により発熱する第２発熱体（１４）と、電池（９）から第２発熱体（１４）に供給する電力を調整することによって第２発熱体（１４）の発熱量を制御する制御装置（１１）とを備える。手袋本体（１）は、手に接触する側から順に、耐熱性を有するインナー層（２１，３１）と、防水性を有する防水層（２２，３２）と、耐熱性を有するアウター層（２５，３３）が積層され、第２発熱体（１４）が、インナー層（２１）と防水層（２２）との間にて、指の側面に沿って配設されている。手袋本体（１）は、耐熱性を有しており制御装置（１１）を収容する第１収容部（６）と、耐熱性を有しており電池（９）を収容する第２収容部（５）が、一体に設けられている。【選択図】    図２
2020045594.tif 000002
【特許請求の範囲】
【請求項１】
消防活動に使用される作業用手袋において、
手に接触する側から順に、耐熱性を有するインナー層と、防水性を有する防水層と、耐熱性を有するアウター層を積層した手袋本体と、
充電式の電池と、
前記インナー層と前記防水層との間にて、指の側面に沿って配設され、電力によって発熱する発熱体と、
前記電池と前記発熱体とに接続され、前記電池から前記発熱体に供給する電力を調整することによって前記発熱体の発熱量を制御する制御装置と、
耐熱性を有しており、前記手袋本体に一体に設けられて前記電池と前記制御装置を収容する収容部と、
を有すること、
を特徴とする作業用手袋。
【請求項２】
請求項１に記載する作業用手袋において、
前記収容部は、
耐熱性を有しており、前記手袋本体に一体に設けられて前記制御装置を収容する第１収容部と、
耐熱性を有しており、前記手袋本体に一体に設けられて前記電池を収容する第２収容部と、
を有すること、
前記アウター層の内側に設けられ、前記第１収容部の内部で前記制御装置に接続され、前記第２収容部の内部で前記電池に着脱自在に接続される耐熱ケーブルを有すること、
を特徴とする作業用手袋。
【請求項３】
請求項１又は請求項２に記載する作業用手袋において、
前記手袋本体は、掌側に位置する掌側部と、手の甲側に位置する甲側部とを、手の側面に沿って縫合したものであること、
前記掌側部は、掌に接触する側から順に、前記インナー層と、前記防水層と、耐熱性と滑り止め性を有する前記アウター層とを積層したものであること、
前記甲側部は、手の甲に接触する側から順に、前記インナー層と、前記防水層と、保温性を有する保温層と、耐熱性を有する耐熱層と、耐熱性と耐切創性を有する前記アウター層とを積層したものであること、
前記発熱体は、前記甲側部にて、前記インナー層と前記防水層との間に配設されていること、
を特徴とする作業用手袋。
【請求項４】
請求項３に記載する作業用手袋において、
前記甲側部は、前記アウター層のうち、指関節に対応する部分に、シャーリングが設けられていること、
を特徴とする作業用手袋。
【発明の詳細な説明】
【技術分野】
【０００１】
本発明は、消防活動に使用される作業用手袋に関する。
【背景技術】
【０００２】
手袋は、寒さや火傷、切り傷などから手を保護する目的で使用される。
【０００３】
例えば、特許文献１には、防寒用の手袋が開示されている。当該手袋は、指装着部の側周部及び上周部に沿って順次、連続的に装着される電熱線と、当該電線に接続するコネクタとを備え、コネクタを携帯電源に接続すると、電熱線が発熱して手を温める。
【０００４】
例えば、特許文献２には、消防隊員の手を火傷や切り傷から保護する手袋が開示されている。
【先行技術文献】
【特許文献】
【０００５】
【特許文献１】特開２０１１−９４２４６号公報
【特許文献２】特開２０１８−３５４６２号公報
【発明の概要】
【発明が解決しようとする課題】
【０００６】
しかしながら、従来の技術には以下の問題があった。すなわち、特許文献１に記載されるような保温機能を有する手袋は、オートバイ、自転車、登山、アウトドアスポーツなど、火を用いない場所で使用されていた。一方、消防隊員が使用する手袋は、耐熱性・防水性については考慮されていても、保温性を有するものはなかった。消防隊員が使用する手袋は、火災現場など、火を扱う場所で使用されるため、保温する必要はないと考えられていたためである。
【０００７】
ところが、消防隊員からは、手の保温が求められていた。冬の火事現場で手袋に水が浸みると、手が冷やされて、指先の感覚が麻痺し、消火設備を誤操作したり、消火活動後の報告書に記入し難かったりするなど、消防活動に支障をきたすことがあったからである。従って、消防活動に使用される作業用手袋には、改善の余地があった。
【０００８】
本発明は、上記問題点を解決するためになされたものであり、耐熱性・防水性・保温性を有する作業用手袋を提供することを目的とする。
【課題を解決するための手段】
【０００９】
本発明の一態様は、次のような構成を有している。（１）消防活動に使用される作業用手袋において、手に接触する側から順に、耐熱性を有するインナー層と、防水性を有する防水層と、耐熱性を有するアウター層を積層した手袋本体と、充電式の電池と、前記インナー層と前記防水層との間にて、指の側面に沿って配設され、電力によって発熱する発熱体と、前記電池と前記発熱体とに接続され、前記電池から前記発熱体に供給する電力を調整することによって前記発熱体の発熱量を制御する制御装置と、耐熱性を有しており、前記手袋本体に一体に設けられて前記電池と前記制御装置を収容する収容部と、を有すること、を特徴とする。
【００１０】
上記構成の作業用手袋は、アウター層により耐熱性が確保され、防水層により防水性が確保されているので、手が火や熱水により火傷することが防止される。作業用手袋は、水に濡れても、発熱体が電池から電力を供給されて発熱し、手を温めて保温する。そのため、作業者は、指先の感覚が麻痺し難く、消火設備の操作や消火活動後の報告書の記入などの消防活動を円滑に行うことができる。また、上記構成の作業用手袋は、インナー層と防水層との間に発熱体を配設している。そのため、発熱体は、水濡れによって損傷せず、水を用いた消防活動中でも発熱できる。更に、作業用手袋に一体に設けられた耐熱性を有する収容部に制御装置と電池を収容しているので、発熱体が電池の電力で長時間発熱でき、また、制御装置と電池が火や熱水の熱で損傷することを防止できる。
【００１１】
（２）（１）に記載する作業用手袋において、前記収容部は、耐熱性を有しており、前記手袋本体に一体に設けられて前記制御装置を収容する第１収容部と、耐熱性を有しており、前記手袋本体に一体に設けられて前記電池を収容する第２収容部と、を有すること、前記アウター層の内側に設けられ、前記第１収容部の内部で前記制御装置に接続され、前記第２収容部の内部で前記電池に着脱自在に接続される耐熱ケーブルを有すること、が好ましい。
【００１２】
上記構成の作業用手袋は、第１収容部と第２収容部をそれぞれ制御装置と電池の大きさに適した設けることができるので、第１収容部と第２収容部に制御装置と電池をそれぞれ安定して保持させることができる。また、第１収容部と第２収容部に別々に収容される制御装置と電池を接続する耐熱ケーブルが外部に露出せず、消火活動中に、耐熱ケーブルが熱などで損傷することを回避できる。
【００１３】
（３）（１）又は（２）に記載する作業用手袋において、前記手袋本体は、掌側に位置する掌側部と、手の甲側に位置する甲側部とを、手の側面に沿って縫合したものであること、前記掌側部は、掌に接触する側から順に、前記インナー層と、前記防水層と、耐熱性と滑り止め性を有する前記アウター層とを積層したものであること、前記甲側部は、手の甲に接触する側から順に、前記インナー層と、前記防水層と、保温性を有する保温層と、耐熱性を有する耐熱層と、耐熱性と耐切創性を有する前記アウター層とを積層したものであること、前記発熱体は、前記甲側部にて、前記インナー層と前記防水層との間に配設されていること、が好ましい。
【００１４】
上記構成の作業用手袋は、掌側部の層の数が甲側部の層の数より少なく、甲側部に発熱体を配設しているため、手や指を動かしやすい。また、発熱体は、保温層より手の甲に近い側に設けられているので、発熱体が発生した熱が作業用手袋の外に逃げにくく、保温効果が高い。更に、甲側部は、保温層の外側に、耐熱性を有する耐熱層と、耐熱性と耐切創性を有するアウター層を設けているので、消防活動中の火傷や受傷を防止できる。一方、作業用手袋は、掌側部は、アウター層が耐熱性と滑り止め性を有するので、綱やはしご、ホースなどを使用する際に手が滑りにくい。
【００１５】
（４）（３）に記載する作業用手袋において、前記甲側部は、前記アウター層のうち、指関節に対応する部分に、シャーリングが設けられていること、が好ましい。
【００１６】
上記構成の作業用手袋においては、甲側部は、層の数が掌側部より多く、発熱体が配設されているため、掌側部より厚く、変形しにくい。しかし、上記構成の作業用手袋は、甲側部のアウター層のうち指関節に対応する部分にシャーリングを設けているので、手や指を動かしやすく、作業を行いやすい。
【発明の効果】
【００１７】
本発明によれば、耐熱性・防水性・保温性を有する作業用手袋を実現することができる。
【図面の簡単な説明】
【００１８】
【図１】本発明の一実施形態に係る作業用手袋の概念図である。
【図２】作業用手袋を甲側部から見た図である。
【図３】作業用手袋を掌側部から見た図である。
【図４】図２に示す作業用手袋を図中右方向から見た図である。
【発明を実施するための形態】
【００１９】
以下に、本発明に係る作業用手袋の一実施形態について、図面に基づいて説明する。
【００２０】
図１は、本発明の一実施形態に係る作業用手袋１０の概念図である。図１には、左手用の作業用手袋１０を記載しているが、右手用の作業用手袋も同様に構成される。作業用手袋１０は、手の形をした袋状の手袋本体１を備える。手袋本体１は、手の甲に沿って第１発熱体１３が敷設され、手と指の側面に沿って第２発熱体１４が配設されている。第２発熱体１４は、「発熱体」の一例である。
【００２１】
第１発熱体１３と第２発熱体１４は、電力によって発熱するものである。第１発熱体１３と第２発熱体１４は、制御装置１１に接続されている。制御装置１１は、耐熱ケーブル１５を介して電池９に接続されている。制御装置１１は、電池９から第１発熱体１３と第２発熱体１４に供給する電力を調整することによって第１発熱体１３と第２発熱体１４の発熱量を制御する。電池９は、充電式の電池であって、耐熱ケーブル１５のコネクタ１２と着脱自在に接続されている。
【００２２】
制御装置１１は、手袋本体１に一体に設けられた第１収容部６に収容されている。電池９は、手袋本体１に一体に設けられた第２収容部５に収容されている。第１収容部６と第２収容部５は、耐熱性を有し、制御装置１１と電池９を熱から保護する。
【００２３】
図４に示すように、手袋本体１は、手の甲側に位置する甲側部２と、掌側に位置する掌側部３とを備える。甲側部２と掌側部３は、それぞれ、手の形に形成されている。手袋本体１は、甲側部２の周縁部の一部と掌側部３の周縁部の一部を、耐火性を有する縫合糸で縫い合わせることにより、袋状にされている。
【００２４】
図２に示すように、甲側部２は、手の甲側（内側）から順に、インナー層２１と、防水層２２と、保温層２３と、耐熱層２４と、アウター層２５が積層されている。
【００２５】
インナー層２１は、熱によって損傷しない耐熱性を有する層である。インナー層２１は、例えば、ケブラーなど耐熱性を有する薄手の布地により構成されている。防水層２２は、水を通さない防水性を有する層である。防水層２２は、例えば、塩化ビニールなど，防水性を有する材料で形成されている。保温層２３は、保温性を有する層である。保温層２３は、例えば、布にアルミを蒸着した材料のように、保温性と防水性を有する材料で形成されている。耐熱層２４は、熱によって損傷しない耐熱性を有する層である。耐熱層２４は、例えば、フェルトや耐熱繊維のわたなど、耐熱性を有する材料で形成されている。アウター層２５は、耐熱性と耐切創性を有する層である。アウター層２５は、例えば、ケブラーなど耐熱性・耐切削性を有する厚手の布地により構成されている。アウター層２５は、インナー層２１より厚手であり、手の受傷を防止する。
【００２６】
甲側部２は、インナー層２１と防水層２２の間に、第１発熱体１３と第２発熱体１４が配設され、アウター層２５と耐熱層２４に浸みた水から第１発熱体１３と第２発熱体１４を保護している。
【００２７】
甲側部２には、第１収容部６と第２収容部５が一体に設けられている。
【００２８】
第１収容部６は、開閉片６１と面ファスナ６２により構成されている。開閉片６１は、例えば、アウター層２５と同じように耐熱性を有する布地を矩形状に形成したものであり、耐熱性を有する縫合糸を用いて一辺がアウター層２５に縫い付けられている。面ファスナ６２は、ループ部６２ａが開閉片６１に縫い付けられ、フック部６２ｂがアウター層２５に縫い付けられ、開閉片６１をアウター層２５に密着させる。
【００２９】
制御装置１１は、耐熱材料で被覆されている。制御装置１１は、フック部６２ｂの中央部に開設された穴部６２ｂｘから露出している。よって、第１収容部６は、制御装置１１の周縁部においてループ部６２ａとフック部６２ｂが張り合わされ、制御装置１１を開閉片６１によって覆い、熱から保護している。
【００３０】
制御装置１１は、表示部１１１と、スイッチ１１２と、制御回路１１３とを備える。スイッチ１１２は、押下式の操作ボタンである。制御回路１１３は、スイッチ１１２の操作を受け付け、スイッチ１１２の操作に応じて電池９から第１発熱体１３と第２発熱体１４に供給する電力を調整することによって第１発熱体１３と第２発熱体１４の発熱量（温度）を制御する。また、制御回路１１３は、スイッチ１１２の操作に応じて表示部１１１の点灯状態を変化させる。
【００３１】
第２収容部５は、袋体５１と、蓋体５２と、面ファスナ５３により構成されている。袋体５１は、コネクタ１２に接続された電池９が、あまりすき間を設けずにすっぽり入る大きさで設けられている。袋体５１は、例えば、アウター層２５と同じように耐熱性を有する布地により形成され、一方に開口するように、耐熱性を有する縫合糸を用いてアウター層２５に縫い付けられている。袋体５１の開口部は、指側と反対向きに開口し、消火活動時に火の粉や水が入りにくくしている。
【００３２】
蓋体５２は、例えば、アウター層２５と同じように耐熱性を有する布地を矩形状に形成したものであり、袋体５１に重ね合せて袋体５１の開口部を塞ぐように、耐熱性を有する縫合糸を用いて一辺がアウター層２５に縫い付けられている。面ファスナ５３は、袋体５１に縫い付けられたループ部５３ａと、蓋体５２に縫い付けられたフック部５３ｂをはり合わせることにより、蓋体５２と袋体５１を結合させる。このような第２収容部５は、電池９とコネクタ１２を外部に露出させないように覆うので、消火活動時に電池９とコネクタ１２を熱から保護できる。
【００３３】
耐熱ケーブル１５は、アウター層２５の内側（裏側、手に近い側）に敷設されている。耐熱ケーブル１５の一端は、第１収容部６の内部にて、制御装置１１に接続されている。また、耐熱ケーブル１５の他端は、袋体５１の内部にてアウター層２５の外側（表側）に引き出され、電池９に着脱可能に接続されるコネクタ１２が一体に設けられている。よって、耐熱ケーブル１５は、アウター層２５と第１収容部６と第２収容部５に覆われて外部に露出せず、熱から保護されている。
【００３４】
甲側部２は、アウター層２５のうち、指関節に対応する部分２Ａに、シャーリングが設けられている。そして、指関節と手首との間の部分２Ｂにおいて、第１発熱体１３は、インナー層２１と防水層２２の間に敷設されている。第２発熱体１４は、インナー層２１と防水層２２との間にて、甲側部２の周縁部に沿って敷設されている。よって、第１発熱体１３と第２発熱体１４は、手を開いたり閉じたりする際に、比較的邪魔にならない部分に配設され、断線や損傷が防止されている。
【００３５】
第１発熱体１３と第２発熱体１４には、断線しにくく、遠赤外線効果のあるカーボンファイバーを用いることが好ましい。第１発熱体１３と第２発熱体１４が、消防活動中に断線し、作業用手袋１０の発熱性・暖房機能を損なうことを回避できるからである。
【００３６】
図３に示すように、掌側部３は、掌に接触する側から順に、インナー層３１と、防水層３２と、アウター層３３が積層されている。インナー層３１と防水層３２は、甲側部２のインナー層２１と防水層２２と同様に設けられている。アウター層３３は、耐熱性・滑り止め性を有する層である。アウター層３３は、例えば、牛革を加工したスエードなどで形成されている。アウター層３３は、滑り止め性を強化する強化部３Ａが、小指の下側に設けられ、ホースなどを扱いやすくしている。
【００３７】
手袋本体１は、熱水などがインナー層２１，３１と手の間に入ることを防止するために、手首の開口部分を調整する調整部４を備える。調整部４は、ベルト部４１と、面ファスナ４２により構成されている。ベルト部４１は、耐熱性を有する布で形成され、一端が手袋本体１に縫い付けられている。面ファスナ４２は、ループ部４２ａが掌側部３に縫い付けられ、フック部４２ｂがベルト部４１に縫い付けられ、ループ部４２ａとフック部４２ｂをはり合わせる位置を調整することにより、手袋本体１を手首に密着させることができる。
【００３８】
本形態の作業用手袋１０の使用例を説明する。作業用手袋１０は、左手用も右手用も同様に構成されている。例えば、火事現場での消火や消火訓練などを行う場合、消防隊員は、作業用手袋１０を両手に着用する。各作業用手袋１０は、同様に操作されて動作するので、ここでは、左右を区別せず、作業用手袋１０と総称して説明する。
【００３９】
例えば夏場には、作業用手袋１０は、保温に使用される電池９がコネクタ１２から取り外され、第２収容部５に収容されていない。第２収容部５は、袋体５１にコネクタ１２を収容した状態で、面ファスナ５３を用いて袋体５１の開口部を蓋体５２で塞いでいる。そのため、コネクタ１２は、消防活動中に第２収容部５の外に露出せず、熱で損傷したり、消防活動の邪魔をしたりすることがない。
【００４０】
一方、冬場には、作業用手袋１０は、電池９がコネクタ１２に接続され、第２収容部５に収容されている。消防隊員が制御装置１１のスイッチ１１２を長押しすると、制御装置１１が起動する。すると、表示部１１１が点灯し、保温が開始されたことを消防隊員に知らせる。
【００４１】
消防隊員が制御装置１１を短く押下すると、制御装置１１は、スイッチ１１２の押下回数に従って、設定温度を順次切り替える。設定温度の切り替えに応じて表示部１１１の点灯色が変わる。スイッチ１１２を押下して制御装置１１の起動や温度設定を行えるので、消防隊員は、作業用手袋１０を両手にはめたままスイッチ１１２を簡単に操作し、任意の保温温度に調整できる。温度設定が終了したら、消防隊員は、開閉片６１のループ部６２ａをフック部６２ｂに結合させ、制御装置１１を開閉片６１で覆う。面ファスナ６２を用いているので、緊急の場合でも、消防隊員は、簡単に、制御装置１１を開閉片６１で覆うことができる。
【００４２】
制御装置１１は、設定温度が確定すると、設定温度に応じて電池９の電力を調整して第１発熱体１３と第２発熱体１４に供給し、第１発熱体１３と第２発熱体１４を発熱させる。第１発熱体１３と第２発熱体１４から発生した熱は、保温層２３より外側に逃げず、インナー層２１の内側の空気を温める。よって、消防隊員は、手の甲と指先が効率良く温められる。
【００４３】
消防隊員は、作業用手袋１０を着用したまま消火設備を操作する。このとき、作業用手袋１０に水がかかっていても、消防隊員の手は、作業用手袋１０により保温されている。そのため、消防隊員は、消防活動中に指先の感覚が麻痺しておらず、指を細かく動かして消火設備を操作できる。第１発熱体１３と第２発熱体１４は、防水層２２より内側（手の甲側）に設けられているため、作業用手袋１０が熱水や消火水で濡れても、漏電の発生や損傷が防止される。
【００４４】
作業中に、消防隊員は、熱い鉄部材やガラスの破片をつかんだり、握ったりすることがある。この場合でも、作業用手袋１０は、耐熱性・耐切創性を有する耐熱層２４やアウター層２５，３３で覆われているため、火傷したり、受傷したりしにくい。また、掌側部３のアウター層３３が滑り止め性を有するため、消防隊員は作業しやすい。
【００４５】
作業用手袋１０は、電池９と制御装置１１が、耐熱性を有する第２収容部５と第１収容部６に収容され、外部に露出していない。また、耐熱ケーブル１５が、アウター層２５の内側に設けられ、外部に露出していない。そのため、作業用手袋１０は、作業中に電池９や制御装置１１や耐熱ケーブル１５が熱で損傷し、保温できなくなることを回避できる。
【００４６】
消防隊員は、消火活動後、作業用手袋１０を外して報告書を記入する。作業中に手を温められているので、消防隊員は、スムーズに報告書に記入できる。
【００４７】
作業が終了すると、消防隊員は、開閉片６１を捲って、制御装置１１を長押しし、制御装置１１を停止させる。これにより、表示部１１１が消灯するので、消防隊員は保温していないことを確認できる。そして、消防隊員は、作業用手袋１０を手から外し、蓋体５２を捲って電池９を袋体５１から取り出し、電池９からコネクタ１２を抜く。そして、消防隊員は、電池９を図示しない充電器にセットし、充電する。充電が完了したら、消防隊員は、電池９を図示しない充電器から取り外し、電池９をコネクタ１２に接続して第２収容部５に収容する。面ファスナ５３を用いて第２収容部５を開閉できるので、消防隊員は、電池９の取り出しや収納を簡単に行える。
【００４８】
以上説明した作業用手袋１０は、（１）消防活動に使用される作業用手袋１０において、手に接触する側から順に、耐熱性を有するインナー層２１，３１と、防水性を有する防水層２２，３２と、耐熱性を有するアウター層２５，３３を積層した手袋本体１と、充電式の電池９と、インナー層２１と防水層２２との間にて、指の側面に沿って配設され、電力によって発熱する第２発熱体１４と、電池９と第２発熱体１４とに接続され、電池９から第２発熱体１４に供給する電力を調整することによって第２発熱体１４の発熱量を制御する制御装置１１と、耐熱性を有しており、手袋本体１に一体に設けられて電池９と制御装置１１を収容する第１及び第２収容部６，５と、を有すること、を特徴とする。
【００４９】
このような作業用手袋１０は、アウター層２５，３３により耐熱性が確保され、防水層２２，３２により防水性が確保されているので、手が火や熱水により火傷することが防止される。作業用手袋１０は、水に濡れても、第１発熱体１３と第２発熱体１４が電池９から電力を供給されて発熱し、手を温めて保温する。そのため、消防隊員は、指先の感覚が麻痺し難く、消火設備の操作や消火活動後の報告書の記入などの消防活動を円滑に行うことができる。また、本形態の作業用手袋１０は、インナー層２１と防水層２２との間に第１発熱体１３と第２発熱体１４を配設している。そのため、第１発熱体１３と第２発熱体１４は、水濡れによって損傷せず、水を用いた消防活動中でも発熱できる。更に、作業用手袋１０に一体に設けられた耐熱性を有する第１及び第２収容部６，５に制御装置１１と電池９を収容しているので、第１発熱体１３と第２発熱体１４が電池９の電力で長時間発熱でき、また、制御装置１１と電池９が火や熱水の熱で損傷することを防止できる。
【００５０】
（２）（１）に記載する作業用手袋１０において、収容部は、耐熱性を有しており、手袋本体１に一体に設けられて制御装置１１を収容する第１収容部６と、耐熱性を有しており、手袋本体１に一体に設けられて電池９を収容する第２収容部５と、を有すること、アウター層２５の内側に設けられ、第１収容部６の内部で制御装置１１に接続され、第２収容部５の内部で電池９に着脱自在に接続される耐熱ケーブル１５を有すること、が好ましい。
【００５１】
上記構成の作業用手袋１０は、第１収容部６と第２収容部５をそれぞれ制御装置１１と電池９の大きさに適した設けることができるので、第１収容部６と第２収容部５に制御装置１１と電池９をそれぞれ安定して保持させることができる。また、第１収容部６と第２収容部５に別々に収容される制御装置１１と電池９を接続する耐熱ケーブル１５が外部に露出せず、消火活動中に、耐熱ケーブル１５が熱などで損傷することを回避できる。
【００５２】
（３）（１）又は（２）に記載する作業用手袋１０において、手袋本体１は、掌側に位置する掌側部３と、手の甲側に位置する甲側部２とを、手の側面に沿って縫合したものであること、掌側部３は、掌に接触する側から順に、インナー層３１と、防水層３２と、耐熱性と滑り止め性を有するアウター層３３とを積層したものであること、甲側部２は、手の甲に接触する側から順に、インナー層２１と、防水層２２と、保温性を有する保温層２３と、耐熱性を有する耐熱層２４と、耐熱性と耐切創性を有するアウター層２５とを積層したものであること、第１発熱体１３と第２発熱体１４は、甲側部２にて、インナー層２１と防水層２２との間に配設されていること、が好ましい。
【００５３】
このような作業用手袋１０は、掌側部３の層の数が甲側部２の層の数より少なく、甲側部２に第１発熱体１３と第２発熱体１４を配設しているため、手や指を動かしやすい。また、第１発熱体１３と第２発熱体１４は、保温層２３より手の甲に近い側に設けられているので、第１発熱体１３と第２発熱体１４が発生した熱が作業用手袋１０の外に逃げにくく、保温効果が高い。更に、甲側部２は、保温層２３の外側に、耐熱性を有する耐熱層２４と、耐熱性と耐切創性を有するアウター層２５を設けているので、消防活動中の火傷や受傷を防止できる。一方、作業用手袋１０は、掌側部３は、アウター層３３が耐熱性と滑り止め性を有するので、綱やはしご、ホースなどを使用する際に手が滑りにくい。
【００５４】
（４）（３）に記載する作業用手袋１０において、甲側部２は、アウター層２５のうち、指関節に対応する部分２Ａに、シャーリングが設けられていること、が好ましい。
【００５５】
このような作業用手袋１０においては、甲側部２は、層の数が掌側部３より多く、第１発熱体１３と第２発熱体１４が配設されているため、掌側部３より厚く、変形しにくい。しかし、本形態の作業用手袋１０は、甲側部２のアウター層２５のうち指関節に対応する部分２Ａにシャーリングを設けているので、手や指を動かしやすく、作業を行いやすい。
【００５６】
尚、本発明は、上記実施形態に限定されることなく、色々な応用が可能である。
【００５７】
例えば、上記実施形態では、甲側部２に保温層２３と耐熱層２４を設け、甲側部２の層数を掌側部３の層数より多くしている。これに対して、甲側部２と掌側部３とで層数を同じにしても良い。また、層の種類は、消防隊員用個人防火装備に係るガイドラインを満たすものであれば、これに限定されない。
【００５８】
例えば、第１発熱体１３を省略し、第２発熱体１４のみを設けても良い。
【００５９】
例えば、第１収容部６と第２収容部５の構成は上記に限定されない。例えば、開閉片６１と蓋体５２は面ファスナ６２、５３と異なる方法で固定しても良い。
【００６０】
例えば、シャーリングは無くても良い。
【００６１】
例えば、１つの収容部に制御装置１１と電池９を収容しても良い。この場合、耐熱ケーブル１５は、アウター層２５の外側と収容部との間に設け、収容部によって熱から保護されるようにしても良い。但し、上記形態のように、第１収容部６と第２収容部５にそれぞれ制御装置１１と電池９を収容することにより、第１収容部６と第２収容部５をそれぞれ制御装置１１と電池９に適した大きさにすることができるので、第１収容部６と第２収容部５に制御装置１１と電池９をそれぞれ安定して保持させることができる。また、制御装置１１と電池９を接続する耐熱ケーブル１５をアウター層２５の内側に設け、第１収容部６の内部で制御装置１１に接続し、第２収容部５の内部で電池９に接続することにより、第１収容部６と第２収容部５に別々に収容される制御装置１１と電池９を接続する耐熱ケーブル１５が外部に露出せず、消火活動中に、耐熱ケーブル１５が熱などで損傷することを回避できる。
【符号の説明】
【００６２】
１  手袋本体
２  甲側部
３  掌側部
６  第１収容部
５  第２収容部
９  電池
１１  制御装置
１５  耐熱ケーブル
２１，３１  インナー層
２２，３２  防水層
２５，３３  アウター層
【図１】
2020045594.tif 000003
【図２】
2020045594.tif 000004
【図３】
2020045594.tif 000005
【図４】
2020045594.tif 000006